(57)【特許請求の範囲】
【請求項１】
ネットワークを通じて商品の購入に関する情報を受信して登録する購入情報登録サーバにおいて、
商品の購入者についての情報を入力して管理する購入者登録管理手段と、
前記購入者登録管理手段により入力された購入者についての情報と対応付けて、商品の購入に関する購入情報を暗号化して得られる複数の文字列を含む購入認証情報を入力する入力情報処理手段と、
前記購入認証情報に含まれることにより当選の対象となる複数の当選文字列のそれぞれに対応付けて、複数の異なる第１の還元情報が予め格納された当選情報格納手段と、
前記入力情報処理手段によって入力された前記購入認証情報中に前記当選文字列が含まれているか否かを判別する照合処理手段と、
前記入力情報処理手段により入力された前記購入認証情報と対応付けられた購入者の情報と対応付けて、予め決められた第２の還元情報を記録すると共に、前記照合処理手段により前記購入認証情報に前記当選文字列が複数含まれると判別された場合に、該当する複数の前記当選文字列にそれぞれ対応する前記第１の還元情報に基づいて算出された第３の還元情報を記録する還元情報管理手段と
を具備したことを特徴とする購入情報登録サーバ。
【請求項２】
前記照合処理手段によって前記購入認証情報中に含まれていると判別された前記当選文字列を、前記購入認証情報の出力元に通知する通知手段をさらに具備したことを特徴とする請求項１記載の購入情報登録サーバ。
【請求項３】
ネットワークを通じて商品の購入に関する情報を受信して登録するコンピュータを、
商品の購入者についての情報を入力して管理する購入者登録管理手段と、
前記購入者登録管理手段により入力された購入者についての情報と対応付けて、商品の購入に関する購入情報を暗号化して得られる複数の文字列を含む購入認証情報を入力する入力情報処理手段と、
前記購入認証情報に含まれることにより当選の対象となる複数の当選文字列のそれぞれに対応付けて、複数の異なる第１の還元情報が予め格納された当選情報格納手段と、
前記入力情報処理手段によって入力された前記購入認証情報中に前記当選文字列が含まれているか否かを判別する照合処理手段と、
前記入力情報処理手段により入力された前記購入認証情報と対応付けられた購入者の情報と対応付けて、予め決められた第２の還元情報を記録すると共に、前記照合処理手段により前記購入認証情報に前記当選文字列が複数含まれると判別された場合に、該当する複数の前記当選文字列にそれぞれ対応する前記第１の還元情報に基づいて算出された第３の還元情報を記録する還元情報管理手段として機能させるための購入情報登録プログラム。
【発明の詳細な説明】
【技術分野】
【０００１】
本発明は、商品の購入に関する購入情報を受信して登録する購入情報登録サーバ、購入情報登録プログラムに関する。
【背景技術】
【０００２】
近年では、インターネットに代表されるコンピュータネットワーク技術の発達に伴い、商品や各種サービスの購入者と販売元との間の情報の交換が容易になってきている。商品の販売元では、商品を購入した購入者（顧客）の情報や、購入された商品に関する情報などをネットワークを通じて受信し、マーケティング情報として蓄積したり、購入者へポイントや商品／サービス等を還元するための情報として蓄積することが行われている（例えば特許文献１）。
【０００３】
特許文献１に記載された購買認証サーバーシステムは、利用者の個人情報や属性情報、利用者を認証するための会員認証情報などを記憶する会員情報データベースと、利用者ごとの購買履歴等の情報を記憶する購買情報データベースと、個々の購買に際しての認証を行うための個別購買認証マッチングサーバーとを備えている。利用者端末からネットワークを通じてクラブ管理サーバーにアクセスし、購買認証番号を用いて購買をした商品等に付与された購買認証番号を、利用者を認証するための会員認証情報と共に利用者端末において入力し、送信し、クラブ管理サーバーにおいては、受信した会員認証情報に関連付けられて購買認証情報が記憶される。
【０００４】
そして、クラブ管理サーバーにおいては、受信した会員認証情報に関連付けられて購買認証情報が記憶され、蓄積されると共に、蓄積される購買履歴や購買金額に応じたポイントを利用者に付与する処理を行うことにより、蓄積されたポイント情報に基づき、商品を低価格で提供したりキャッシュバック比率やポイントの比率を高めるなどの利用者に対する還元サービスを行う。
【特許文献１】特開２００２−３４２５５８号公報
【発明の開示】
【発明が解決しようとする課題】
【０００５】
このように従来の購買認証サーバーシステムでは、ネットワークを通じて商品等に付与された購買認証番号を会員認証情報と共に入力して記憶し、この記憶された情報をもとに、商品を低価格で提供したりキャッシュバック比率やポイントの比率を高めるなどの利用者に対する還元サービスを提供している。
【０００６】
従来のシステムでは、購買認証番号を購買された商品の識別のためにだけに用いており、キャッシュバック比率やポイントの比率を高めるなどの利用者に対する還元サービスについては、会員ごとに蓄積される購買履歴や購買金額に応じて、予め定められた比率に一律に高められるだけであった。すなわち、顧客は、自らの購買履歴や購買金額によって、どの程度の還元サービスを受けられるか把握できてしまう。従って、現在の購買履歴や購買金額では、新たに購買認証情報の登録を行ったとしても期待する還元サービスが得られないことが事前に分かってしまうと、購買認証情報の登録を行わなくなってしまう。
【０００７】
本発明は前述した事情に考慮してなされたもので、その目的は、複数の文字を含む購入認証情報を利用して抽選を実施し、この抽選の結果に応じて還元サービスを提供することにより、顧客からの商品の購入に関する情報の登録を促すと共に、顧客に対するサービスの向上を図ることが可能な購入情報登録サーバ、購入情報登録プログラムを提供することにある。
【課題を解決するための手段】
【０００８】
本発明は、ネットワークを通じて商品の購入に関する情報を受信して登録する購入情報登録サーバにおいて、商品の購入者についての情報を入力して管理する購入者登録管理手段と、前記購入者登録管理手段により入力された購入者についての情報と対応付けて、商品の購入に関する購入情報を暗号化して得られる複数の文字列を含む購入認証情報を入力する入力情報処理手段と、前記購入認証情報に含まれることにより当選の対象となる複数の当選文字列のそれぞれに対応付けて、複数の異なる第１の還元情報が予め格納された当選情報格納手段と、前記入力情報処理手段によって入力された前記購入認証情報中に前記当選文字列が含まれているか否かを判別する照合処理手段と、前記入力情報処理手段により入力された前記購入認証情報と対応付けられた購入者の情報と対応付けて、予め決められた第２の還元情報を記録すると共に、前記照合処理手段により前記購入認証情報に前記当選文字列が複数含まれると判別された場合に、該当する複数の前記当選文字列にそれぞれ対応する前記第１の還元情報に基づいて算出された第３の還元情報を記録する還元情報管理手段とを具備したことを特徴とする。
【発明の効果】
【０００９】
本発明によれば、商品の購入に関する購入情報を暗号化して得られる複数の文字列を含む購入認証情報を入力して、購入情報を格納すると共に、購入認証情報に意味のある文字列が含まれているか否かの判定による抽選を行い、この抽選結果に応じて還元サービスが提供されるので、購入認証情報に意味のある文字列が含まれている可能性がある購入者に対して、購入認証情報（購入情報）の登録を促すことができ、また還元サービスが提供される購入者に対してサービスの向上を図ることができる。
【発明を実施するための最良の形態】
【００１０】
以下、図面を参照して本発明の実施の形態について説明する。  
図１は、本実施形態における購入情報登録システムの基本的なシステム構成図である。図１に示す購入情報登録システムは、各ユーザが使用する端末１が、インターネット等を含むコンピュータネットワーク２を介して購入情報登録用サーバ３と接続される。端末１は、例えば携帯電話機、パーソナルコンピュータ、ＰＤＡ（personal digital assistant）、その他の通信機能が搭載された各種の情報処理装置が含まれる。購入情報登録用サーバ３は、コンピュータネットワーク２を通じて、商品購入者によって端末１に入力された商品の購入に関する情報を受信して登録する。
【００１１】
本実施形態では、商品の購入に関する購入情報（例えば、商品名、シリアル番号など）を暗号化して得られる複数の文字を含む購入認証情報が商品を購入した購入者によって端末１に入力されるものとする。本実施形態において購入認証情報は、例えばアルファベットと数字の文字の組み合わせによって構成される予め決められた文字数（例えば２５文字）の文字列のデータである。購入情報登録用サーバ３は、端末１から受信した購入認証情報を復号化することにより購入情報が得られる。購入情報が商品に固有の情報であるため、購入情報を暗号化することによって得られる購入認証情報も重複することのないユニークな情報となる。
【００１２】
購入情報登録用サーバ３は、購入情報登録プログラムをプロセッサによって実行することによって、購入者登録管理部４、入出力管理部５（入出力情報処理部６、表示処理部７）、購入情報判定処理部８、還元情報管理部９、照合処理部１０、購入者登録データ格納部１１、登録商品情報格納部１２、当選情報格納部１３、及び還元情報格納部１４を含む各種の機能を実現する。
【００１３】
購入者登録管理部４は、商品の購入者の情報を管理するもので、入出力管理部５を通じて受信された購入者に関する情報（購入者登録データ）を購入者登録データ格納部１１に格納して管理する。購入者登録管理部４は、後述する還元情報管理部９とによって購入者登録管理機能を提供する。購入者登録管理機構は、購入者毎にポイント登録、記録、利用などのポイント管理や、景品付与などその他の還元サービスの管理を行う。なお、ポイントは、商品を購入する場合などにおいて代金として利用することができる。
【００１４】
入出力管理部５は、コンピュータネットワーク２を介して接続される購入者が使用する端末１との情報の入出力を管理するもので、入出力情報処理部６、及び表示処理部７を含んでいる。入出力情報処理部６は、例えばインターネット上に購入認証情報登録用のＷｅｂページを公開し、このＷｅｂページを通じて購入者から購入認証情報や個人情報などを入力する。表示処理部７は、Ｗｅｂページを通じて端末１において各種の情報を表示させるもので、例えば入出力情報処理部６によって入力された購入認証情報に対する抽選結果を提示する画面、現在までに蓄積されているポイントなどのポイント管理用画面などの他、各種のメッセージ画面を表示させる。
【００１５】
購入情報判定処理部８は、入出力管理部５（入出力情報処理部６）によって入力された購入認証情報を復号化して得られた購入情報が登録商品情報格納部１２に格納されているか否かを判定する。すなわち、購入情報判定処理部８は、購入認証情報を復号化して得られた購入情報が、登録商品情報格納部１２に予め格納されている正しい購入情報であるかを判定する。また、購入情報判定処理部８は、購入認証情報を復号化して得られた購入情報が正しことが判別された場合に、初めて入力された購入情報であるかを判別する。
【００１６】
還元情報管理部９は、購入者登録管理部４とにより購入者登録管理機能を提供するもので、購入者登録データ格納部１１に購入者登録データが格納された利用者毎に、照合処理部１０において実行される購入認証情報を対象とした抽選の結果により確定される還元情報、すなわち商品の購入などに利用できるポイントや景品追加付与などを示す購入者に対して還元するサービスの内容を示す情報を管理する。例えば、還元情報管理部９は、ポイントの登録の他、ポイントの蓄積（追加）、ポイントを利用した商品購入やサービスの提供に伴う残りポイントの管理を行う。
【００１７】
照合処理部１０は、購入情報判定処理部８によって、購入認証情報を復号化して得られた購入情報が正しく、かつ初めて入力されたことが判定された場合に、この購入情報が復号化される前の購入認証情報中に当選情報格納部１３に予め格納された文字列（当選文字列）が含まれているか否かを判別する。すなわち、照合処理部１０は、当選情報格納部１３に予め格納された複数の文字列のそれぞれについて、同文字列に該当する文字列が購入認証情報に含まれているかを照合することにより判定する。
【００１８】
購入者登録データ格納部１１は、購入認証情報（購入情報）を、端末１を通じて送信してきた商品の購入者に関する情報（購入者登録データ）が購入者登録管理部４によって格納される（図２参照）。
【００１９】
登録商品情報格納部１２は、販売される商品に割り当てられた固有の商品情報が予め格納される。商品情報には、例えば商品名、商品毎に付されるシリアル番号などの情報が含まれており、これら情報の組み合わせによって商品に固有の情報となっている。販売される商品には、登録商品情報格納部１２に予め格納された商品名、シリアル番号などの商品情報を、所定の暗号化方法を用いて暗号化して得られる複数の文字列を含む購入認証情報が、例えばクーポン券に記載されて添付される。
【００２０】
当選情報格納部１３は、購入認証情報に含まれることにより当選の対象となる、意味のある文字列の情報が予め格納される（図４参照）。意味のある文字列とは、例えば単語や規則性のある文字の並びなど、商品の購入者が購入認証情報から認識することができる文字列である。
【００２１】
還元情報格納部１４は、照合処理部１０によって、当選情報格納部１３に格納された文字列が購入認証情報に含まれると判定された場合、すなわち当選と判定された場合に、購入者に対して与えられる還元サービスの内容を示す還元情報が、購入者登録データ格納部１１に購入者情報データが格納された購入者と関連付けて格納される。還元サービスとしては、商品を購入する際に代金として使用できるポイントの付与や景品の付与などがある。
【００２２】
図２は、購入者登録データ格納部１１に格納されるデータの一例を示す図である。図２に示すように、購入者登録データ格納部１１には、購入者別に付される購入者番号と対応づけて、購入者によって端末１を通じて登録された名前、住所、年令、電子メールアドレス、電話番号、生年月日等の購入者に関する個人情報が格納される。また、購入者登録データ格納部１１には、商品を購入した日時や場所などの商品の購入に関係するデータを個人情報と共に入力して格納することができる。なお、１人の購入者が複数の商品を購入した場合には、複数の商品について同じ購入者番号の購入者登録データが関連付けられ、各商品について購入に関するデータが格納されるものとする。
【００２３】
図３は、登録商品情報格納部１２に格納されるデータの一例を示す図である。図３に示すように、登録商品情報格納部１２には、販売される商品に固有の購入情報（商品名、シリアル番号等の組み合わせ）が予め格納される。登録商品情報格納部１２には、販売される商品に実際に添付された購入認証情報を復号化することによって得られる正しい商品情報（購入情報）が格納されている。なお、入出力情報処理部６により入力された購入認証情報を復号化して得られた購入情報と一致する商品情報には、例えば、購入認証情報を送信した購入者と対応付けるための購入者番号が付加されるものとする。
【００２４】
図４は、当選情報格納部１３に格納されるデータの一例を示す図である。図４に示すように、当選情報格納部１３には、入出力管理部５を通じて入力された購入認証情報に含まれることにより当選の対象となる、意味のある文字列（当選文字列）の情報が格納されている。本実施形態では、当選文字列が異なる文字数別（２文字、３文字、４文字、…）に設定され、それぞれについて複数の異なるボーナスポイント（還元情報）が設定されている。図４に示す例では、文字数が少ない当選文字列ほど、暗号化によって購入認証情報に発生する可能性が高いのでボーナスポイントが低くなっている。例えば、２文字からなる当選文字列「ＯＫ」についてはボーナスポイント「５」が設定され、５文字からなる当選文字列「ＴＯＫＹＯ」についてはボーナスポイント「４０」が設定されている。
【００２５】
図５は、還元情報格納部１４に格納されるデータの一例を示す図である。図５に示すように、還元情報格納部１４には、購入者登録データ格納部１１に格納された利用者番号と対応付けて、利用ポイント、ボーナスポイント、ポイント合計などのポイントに関係するデータが格納される。利用ポイントは、購入認証情報（購入情報）を登録した購入者に与えられるもので、購入認証情報を復号化して得られた購入情報が、登録商品情報格納部１２に格納された正しい商品情報と一致すると判定された場合に、購入認証情報（購入情報）を登録した購入者に対して与えられる。ボーナスポイントは、購入認証情報に対する抽選によって当選した場合に購入者に与えられるもので、購入認証情報中に当選情報格納部１３に格納された当選文字列が含まれていると判定された場合に、購入認証情報（購入情報）を登録した購入者に対して与えられる。ボーナスポイントは、図４に示すように、例えば購入認証情報に含まれる当選文字列の文字数によって異なっており、購入認証情報に現れる可能性が低いほど高く設定される。
【００２６】
次に、本実施形態における購入情報登録システムの動作について説明する。  
購入情報登録用サーバ３は、例えば図６に示すような、販売される商品に添付されたクーポン１５に記載された文字列からなる購入認証情報を、商品の購入者によって通知してもらうことにより商品についての購入情報を登録する。図６に示すクーポン１５の例では、２５文字のアルファベットと数字の文字の組み合わせによって構成される購入認証情報１７の他、コンピュータネットワーク２を通じて購入情報登録用サーバ３が公開している購入情報登録用Ｗｅｂページ（購入情報登録ページ１９）のＵＲＬ（uniform resource locator）１６が記載されている。
【００２７】
購入認証情報１７は、クーポン１５が封入されていた商品に関する購入情報が、所定の暗号化方法を用いて暗号化することによって生成されている。購入情報としては、例えば商品名、商品を識別するためのシリアル番号などの情報が含まれている。
【００２８】
購入情報登録用サーバ３は、購入者から通知される購入認証情報を対象として、予め設定された意味のある文字列が含まれているか否かによる抽選を実施し、当選した場合には、購入認証情報を登録してくれた購入者に対する還元サービスを提供する。本実施形態の購入情報登録用サーバ３では、購入認証情報に当選文字列がある場合に当選となるので、購入者が購入認証情報の文字列の並びを見て当選となりそうなことを予想できる。この場合、購入者が当選することを期待して購入認証情報の登録をする可能性が高く、購入認証情報の登録を促すことになる。
【００２９】
商品の購入者は、コンピュータネットワーク２と接続されたパーソナルコンピュータなどの端末１から、クーポン１５に記載されていたＵＲＬをもとに購入情報登録ページ１９にアクセスする。端末１では、例えば図７に示すような、購入情報登録ページ１９が表示される。
【００３０】
図７に示す購入情報登録ページ１９には、購入認証番号入力枠２０が設けられている。購入認証番号入力枠２０には、５文字を入力することができる５つの入力枠が設けられており、クーポン１５に記載された２５文字の文字列からなる購入認証情報１７を入力することができる。
【００３１】
購入認証番号入力枠２０に購入認証情報１７の文字列が入力され登録ボタン２１が選択されると、購入認証番号入力枠２０に入力された購入認証情報１７が、コンピュータネットワーク２（購入情報登録ページ１９）を通じて購入情報登録用サーバ３に送信される。
【００３２】
なお、図示していないが、購入認証情報１７を登録する場合には、購入認証情報１７と対応付けて購入者についての個人情報についても登録が行われる。購入情報登録用サーバ３は、端末１において個人情報登録用ページを表示させて、このページを通じて個人情報を取得する。個人情報登録用ページには、例えば購入者の名前、住所、年令、メールアドレス、電話番号などの情報を入力するための入力枠が設けられる。各情報がそれぞれの入力枠に入力されて登録ボタンが選択されると、各情報がコンピュータネットワーク２（個人情報登録ページ）を通じて購入情報登録用サーバ３に送信される。
【００３３】
購入情報登録用サーバ３は、個人情報を受信すると、図２に示すように、各情報を購入者登録データとして、購入者別の購入者番号を付して格納する。
【００３４】
なお、以前に他の商品の購入認証情報を登録した際に、個人情報を登録済みである場合には、この登録済みの個人情報を援用できるようにする。例えば、個人情報が登録済みの購入者に対して、購入者固有の識別番号を購入者登録データと対応付けて設定して通知しておく。購入者から識別番号が入力された場合には、個々の個人情報の再入力を省略して、登録済みの購入者登録データを利用する。
【００３５】
次に、購入情報登録用サーバ３は、購入者から受信した購入認証情報に対して、図８に示すフローチャートに従って処理を実行する。
【００３６】
端末１から送信された購入認証情報は、コンピュータネットワーク２を通じて入出力管理部５の入出力情報処理部６によって入力される。入出力情報処理部６は、端末１から受信された購入認証情報を購入情報判定処理部８に送出する。購入情報判定処理部８は、購入認証情報がセキュリティ目的のために暗号化されているため、暗号化前の購入情報を取得するために購入認証情報に対して復号化を実行する（ステップＡ１）。
【００３７】
購入情報判定処理部８は、復号化によって購入認証情報から得られた購入情報が、登録商品情報格納部１２に格納されている商品情報と一致するかを照合する。すなわち、購入情報判定処理部８は、端末１から入力された文字列が正しい購入認証情報であり正しく復号化されたかを確認する。
【００３８】
復号化によって得られた購入情報が登録商品情報格納部１２に格納されていない場合には（ステップＡ２、Ｎｏ）、購入情報判定処理部８は、入出力管理部５の表示処理部７によって、購入認証情報の送信元の端末１において入力文字列エラー通知を表示させる（ステップＡ３）。
【００３９】
一方、復号化によって得られた購入情報と一致する商品情報が登録商品情報格納部１２に格納されている場合には（ステップＡ２、Ｙｅｓ）、購入情報判定処理部８は、購入者から送信された購入認証情報がこれまで未使用の情報であるか、すなわち初めて受信された購入認証情報であるかを判別する。
【００４０】
例えば、購入情報判定処理部８は、登録商品情報格納部１２に格納されている商品情報に、購入者登録データ格納部１１に格納された購入者登録データと関連付けるための購入者番号が設定されている場合には、当該購入情報が得られた復号化前の購入認証情報（購入情報）は以前に受信済みであると判別する。
【００４１】
購入認証情報（購入情報）が受信済みと判別された場合には、抽選の対象とせずに、購入情報判定処理部８は、入出力管理部５の表示処理部７によって、購入認証情報の送信元の端末１において利用済み購入認証情報エラー通知を表示させる（ステップＡ５）。
【００４２】
これに対して、購入認証情報が利用済みではない（初めて受信された）と判別された場合には、購入情報判定処理部８は、還元情報管理部９に対して、購入認証情報（購入情報）の登録によって購入者に与える還元情報の追加を要求する。還元情報管理部９は、購入者登録データ格納部１１に格納された購入認証情報（購入情報）の送信元である購入者の利用者番号と対応付けて、還元情報格納部１４に利用ポイントを追加する。なお、利用ポイントは、常に同じポイントとする。
【００４３】
また、購入情報判定処理部８は、入出力情報処理部６により入力された暗号化されたままの購入認証情報を照合処理部１０に送り、当選情報格納部１３に格納された当選文字列との照合を実行させる。
【００４４】
照合処理部１０は、購入情報判定処理部８からの購入認証情報について、当選情報格納部１３に予め格納された複数の当選文字列のそれぞれと照合を行う（ステップＡ６）。すなわち、当選情報格納部１３に格納された当選文字列が購入認証情報に含まれているかを判別する。
【００４５】
ここで、当選情報格納部１３に格納されている当選文字列が購入認証情報に存在していない場合には（ステップＡ７、Ｎｏ）、購入情報登録用サーバ３は、抽選に落選したものとして通常処理を実行する（ステップＡ８）。すなわち、購入情報登録用サーバ３は、落選したことを通知するメッセージを、表示処理部７によって購入者の端末１において表示させると共に、購入情報判定処理部８によって購入認証情報を復号化して得られた購入情報と一致する商品情報について、購入認証情報の送信元の購入者を示す購入者番号を付加して登録済みに設定する。なお、購入者から購入認証情報と共に他の情報、例えば商品を購入した場所や日時などの商品の購入に関する他の情報が受信されている場合には、これらの情報についても購入情報（商品情報）及び購入者と関連付けて購入情報登録用サーバ３に格納されるものとする。
【００４６】
一方、当選情報格納部１３に格納されている当選文字列が購入認証情報に存在していた場合には（ステップＡ７、Ｙｅｓ）、購入情報登録用サーバ３は、抽選に当選したものとして当選処理を実行する（ステップＡ９）。
【００４７】
すなわち、照合処理部１０は、当選したことを通知するメッセージを、表示処理部７によって購入者の端末１において表示させると共に、購入情報判定処理部８によって購入認証情報を復号化して得られた購入情報と一致する商品情報について、購入認証情報の送信元の購入者を示す購入者番号を付加して登録済みに設定する。なお、購入者から購入認証情報と共に他の情報、例えば商品を購入した場所や日時などの商品の購入に関する他の情報が受信されている場合には、これらの情報についても購入情報（商品情報）及び購入者と関連付けて購入情報登録用サーバ３に格納されるものとする。
【００４８】
さらに、購入認証情報に存在すると判別された当選文字列に対して、当選情報格納部１３に設定されているボーナスポイントを、購入認証情報（購入情報）の送信元である購入者の利用者番号と対応付けて還元情報格納部１４に追加する。
【００４９】
例えば、購入認証情報の文字列に、図４に示す４文字からなる「ＧＯＯＤ」の当選文字列が存在していた場合には、ボーナスポイント「２０」を追加する。また、５文字からなる「ＴＯＫＹＯ」の当選文字列が存在していた場合には、４文字の当選文字列が存在していた場合より高いボーナスポイント「４０」を追加する。
【００５０】
また、照合処理部１０は、購入認証情報中に、当選情報格納部１３に格納された複数の当選文字列が存在していた場合には、その当選文字列の組み合わせに応じて、さらに高いボーナスポイントを購入者に与えるようにしても良い。例えば、２文字と４文字の当選文字列が存在していた場合には、２文字と４文字の当選文字列のボーナスポイントの合計「２５」を（２×４）倍したボーナスポイントを追加する。
【００５１】
このように、購入認証情報に含まれる当選文字列の文字数や、当選文字列の数などに応じて、異なるボーナスポイントを追加することにより、購入認証情報を用いた抽選の結果に変化をつけることができ、購入者に対してより高いボーナスポイントの獲得を期待させることによって購入認証情報の登録を促すことができる。
【００５２】
また、購入情報登録用サーバ３は、当選処理において、当選したことを通知するメッセージを端末１において表示させると共に、購入認証情報に存在していることが照合された当選文字列、すなわち当選の根拠となった文字列を購入者に通知するようにしても良い。例えば、購入認証情報に当選文字列「ＴＯＫＹＯ」が存在していた場合には、照合処理部１０は、表示処理部７によって、購入者の端末１のＷｅｂページ画面中に、当選文字列として「ＴＯＫＹＯ」を表示させる。
【００５３】
これにより、購入者は、購入情報登録用サーバ３に登録した購入認証情報中の当選に該当する文字列を把握することができ、当選する購入認証情報の傾向を予測できるようになる。従って、他の商品を購入した際に、その商品に添付されていたクーポン１５に記載されている購入認証情報について、当選を予測して購入認証情報の登録を促すことができる。
【００５４】
なお、前述した説明では、還元サービスのポイントのみについて説明しているが、購入者に対する景品の付与などの還元サービスなどについても、購入認証情報に存在していた当選文字列の文字数などに応じて異なる景品が付与されるように、当選情報を設定することができる。還元情報格納部１４には、購入者に対して付与する景品を示す情報などが、購入者番号と対応付けて格納されるものとする。さらに、ポイントや景品の付与以外の還元サービスに適用することも可能である。
【００５５】
このようにして、購入情報登録用サーバ３は、商品の購入者から購入認証情報を受信することによって、商品の購入に関する購入情報を蓄積してマーケティングなどに利用することができる。購入情報登録用サーバ３は、文字列からなる購入認証情報を利用して抽選を実施し、この抽選結果に応じて購入者に対して還元サービスを提供することができるので、購入者に対して購入認証情報の登録を促すと共に、購入者に対するサービスを向上することができる。また、本実施形態の購入情報登録用サーバ３による抽選は、文字列からなる購入認証情報と予め当選情報格納部１３に格納された当選文字列との照合によって行われるので、購入情報登録用サーバ３への負担増大を招かない。また、当選確率についても、当選情報格納部１３に予め格納する当選文字列を変更するだけで調整することができるので、抽選アルゴリズム（プログラム）などの変更なども不要であり購入情報登録用サーバ３の管理者側の作業負担も軽くて済む。
【００５６】
なお、前述した実施形態では、購入認証情報を２５桁からなる数字とアルファベットの組み合わせからなる文字列としているが、何れの文字数としても良い。また、購入認証情報は、数字とアルファベットの組み合わせに限定されるものではなく、漢字やひらがな、カタカナなどの他の文字種を含む文字列とすることも可能である。この場合、当選情報格納部１３には、漢字、ひらかな、カタカナなどの他の文字種を含む意味のある文字列を当選情報として予め格納しておくものとする。
【００５７】
また、購入認証情報の生成に用いる暗号化方法については、セキュリティを高めるものであれば何れの方式を用いてもかまわない。すなわち、暗号化の対象となる購入情報をもとにして、購入者が認識可能な文字列からなる購入認証情報が生成することができれば良い。
【００５８】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５９】
また、実施形態に記載した手法は、コンピュータに実行させることができるプログラム（ソフトウエア手段）として、例えば磁気ディスク（フレキシブルディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、コンピュータに実行させるソフトウエア手段（実行プログラムのみならずテーブルやデータ構造も含む）をコンピュータ内に構成させる設定プログラムをも含む。本装置を実現するコンピュータは、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、コンピュータ内部あるいはネットワークを介して接続される機器に設けられた磁気ディスクや半導体メモリ等の記憶媒体を含むものである。
【図面の簡単な説明】
【００６０】
【図１】本実施形態における購入情報登録システムの基本的なシステム構成図。
【図２】購入者登録データ格納部１１に格納されるデータの一例を示す図。
【図３】登録商品情報格納部１２に格納されるデータの一例を示す図。
【図４】当選情報格納部１３に格納されるデータの一例を示す図。
【図５】還元情報格納部１４に格納されるデータの一例を示す図。
【図６】販売される商品に添付されたクーポン１５の一例を示す図。
【図７】購入情報登録ページ１９の一例を示す図。
【図８】購入情報登録用サーバ３による購入者から受信した購入認証情報に対する処理を説明するためのフローチャート。
【符号の説明】
【００６１】
１…端末、２…コンピュータネットワーク、３…購入情報登録用サーバ、４…購入者登録管理部、５…入出力管理部、６…入出力情報処理部、７…表示処理部、８…購入情報判定処理部、９…還元情報管理部、１０…照合処理部、１１…購入者登録データ格納部、１２…登録商品情報格納部、１３…当選情報格納部、１４…還元情報格納部、１５…クーポン、１６…購入情報登録用ＵＲＬ、１７…購入認証情報、１９…購入情報登録ページ、２０…購入認証情報入力枠、２１…登録ボタン。
【図１】
0005173328.tif 000002
【図２】
0005173328.tif 000003
【図３】
0005173328.tif 000004
【図４】
0005173328.tif 000005
【図５】
0005173328.tif 000006
【図６】
0005173328.tif 000007
【図７】
0005173328.tif 000008
【図８】
0005173328.tif 000009